【手続補正書】
【提出日】平成19年10月19日(2007.10.19)
【手続補正１】
【補正対象書類名】明細書
【補正対象項目名】特許請求の範囲
【補正方法】変更
【補正の内容】
【特許請求の範囲】
【請求項１】  伝送信号を、低周波数帯域を有する信号と高周波数帯域を有する信号とに分割する分波器と、上記低周波数帯域を有する信号から低周波数帯域を有する符号化された信号を発生させ、上記低周波数帯域を有する符号化された信号を第１の伝送チャネルによって受信器に送信するよう構成される第１の符号化装置と、上記高周波数帯域を有する信号から高周波数帯域を有する符号化された信号を発生させ、上記高周波数帯域を有する符号化された信号を第２の伝送チャネルによって送信器から上記受信器に送信するよう構成される第２の符号化装置とを含む送信器と、
上記低周波数帯域を有する符号化された信号に基づいて低周波数帯域を有する再構成された信号を形成する第１の復号器と、雑音信号源から入来する雑音信号を使用し上記高周波数帯域を有する符号化された信号に基づいて高周波数帯域を有する再構成された信号を形成する第２の復号器と、上記低周波数帯域を有する再構成された信号と上記高周波数帯域を有する再構成された信号とを組み合わせるコンバイナとを含む受信器とを有する伝送システムであって、
上記第２の符号化装置は、予測係数を決め、上記受信器に上記予測係数を送信する分析手段を有し、
上記第２の復号器は、上記予測係数によって制御されるＬＰＣ合成フィルタによって、上記高周波数帯域を有する信号を再構成する際に上記雑音信号源から入来する上記雑音信号にフィルタを施すよう構成されることを特徴とする伝送システム。
【請求項２】  上記送信器内の上記第２の符号化装置は、上記高周波数帯域を有する信号に基づいて増幅符号を発生させるよう構成され、
上記受信器内の上記第２の復号器は、上記高周波数帯域を有する信号の再構成の際に上記増幅符号を使用するよう構成されることを特徴とする請求項１記載の伝送システム。
【請求項３】  上記受信器は上記低周波数帯域を有する信号を処理するだけであるよう構成されることを特徴とする請求項１又は２記載の伝送システム。
【請求項４】  信号を、低周波数帯域を有する信号と高周波数帯域を有する信号とに分割する分波器と、上記低周波数帯域を有する信号から低周波数帯域を有する符号化された信号を発生させ、上記低周波数帯域を有する符号化された信号を送信するよう構成される第１の符号化装置と、上記高周波数帯域を有する信号から高周波数帯域を有する符号化された信号を発生させ、上記高周波数帯域を有する符号化された信号を送信するよう構成される第２の符号化装置とを含む送信器であって、
上記第２の符号化装置は、予測係数を決定し、且つ、送信する分析手段を含むことを特徴とする送信器。
【請求項５】  低周波数帯域を有する符号化された信号に基づいて低周波数帯域を有する再構成された信号を形成する第１の復号器と、雑音信号源を使用し高周波数帯域を有する符号化された信号に基づいて高周波数帯域を有する再構成された信号を形成する第２の復号器と、上記低周波数帯域を有する再構成された信号と上記高周波数帯域を有する再構成された信号とを組み合わせるコンバイナとを含む受信器であって、
上記第２の復号器は、予測係数によって制御されるＬＰＣ合成フィルタによって、高周波数帯域を有する信号を再構成する際に上記雑音信号源から入来する雑音信号にフィルタを施すよう構成されることを特徴とする受信器。
【請求項６】  信号を、低周波数帯域を有する信号と高周波数帯域を有する信号とに分割する分波器と、上記低周波数帯域を有する信号から低周波数帯域を有する符号化された信号を発生させる第１の符号化装置と、上記高周波数帯域を有する信号から高周波数帯域を有する符号化された信号を発生させる第２の符号化装置とを含む符号化装置であって、
上記第２の符号化装置は、予測係数を決め、上記予測係数を上記高周波数帯域を有する符号化された信号に組み込む分析手段を含むことを特徴とする符号化装置。
【請求項７】  低周波数帯域を有する符号化された信号に基づいて低周波数帯域を有する再構成された信号を形成する第１の復号器と、雑音信号源を使用し高周波数帯域を有する符号化された信号に基づいて高周波数帯域を有する再構成された信号を形成する第２の復号器と、上記低周波数帯域を有する再構成された信号と上記高周波数帯域を有する再構成された信号とを組み合わせるコンバイナとを含む復号化装置であって、
上記第２の復号器は、予測係数によって制御されるＬＰＣ合成フィルタによって、高周波数帯域を有する信号を再構成する際に上記雑音信号源から入来する雑音信号にフィルタを施すよう構成されることを特徴とする復号化装置。
【請求項８】  分波器が信号を、低周波数帯域を有する信号と高周波数帯域を有する信号とに分割し、第１の符号化装置が上記低周波数帯域を有する信号から低周波数帯域を有する符号化された信号を発生させ、第２の符号化装置が上記高周波数帯域を有する信号から高周波数帯域を有する符号化された信号を発生させる、信号の符号化方法であって、
上記第２の符号化装置は、予測係数を決め、上記予測係数を上記高周波数帯域を有する符号化された信号に組み込むことを特徴とする方法。
【請求項９】  第１の復号器が低周波数帯域を有する符号化された信号から低周波数帯域を有する再構成された信号を発生させ、第２の復号器が、雑音信号源からの雑音信号を処理することによって高周波数帯域を有する符号化された信号から高周波数帯域を有する再構成された信号を発生させ、上記低周波数帯域を有する再構成された信号と上記高周波数帯域を有する再構成された信号とを新しい信号に組み合わせる、符号化された信号の復号化方法であって、
上記第２の復号器はＬＰＣ合成フィルタによって上記雑音信号源から入来する上記雑音信号にフィルタを施し、予測係数によって上記ＬＰＣ合成フィルタを制御することを特徴とする方法。
【手続補正２】
【補正対象書類名】明細書
【補正対象項目名】０００１
【補正方法】変更
【補正の内容】
【０００１】
本発明は、伝送信号を、低周波数帯域を有する信号と高周波数帯域を有する信号とに分割する分波器と、低周波数帯域を有する信号から低周波数帯域を有する符号化された信号を発生させ、低周波数帯域を有する符号化された信号を第１の伝送チャネルによって受信器に送信するよう構成される第１の符号化装置と、高周波数帯域を有する信号から高周波数帯域を有する符号化された信号を発生させ、高周波数帯域を有する符号化された信号を第２の伝送チャネルによって送信器から受信器に送信するよう構成される第２の符号化装置とを含む送信器と、低周波数帯域を有する符号化された信号に基づいて低周波数帯域を有する再構成された信号を形成する第１の復号器と、雑音信号源から入来する雑音信号を使用し高周波数帯域を有する符号化された信号に基づいて高周波数帯域を有する再構成された信号を形成する第２の復号器と、低周波数帯域を有する再構成された信号と高周波数帯域を有する再構成された信号とを組み合わせるコンバイナとを含む受信器とを有する伝送システムに関する。
【手続補正３】
【補正対象書類名】明細書
【補正対象項目名】０００７
【補正方法】変更
【補正の内容】
【０００７】
このために、本発明の伝送システムでは、第２の符号化装置は、予測係数を決め、受信器に予測係数を送信する分析手段を含み、第２の復号器は、予測係数によって制御されるＬＰＣ合成フィルタによって、高周波数帯域を有する信号を再構成する際に雑音信号源から入来する雑音信号にフィルタを施すよう構成されることを特徴とする。
【手続補正４】
【補正対象書類名】明細書
【補正対象項目名】００１０
【補正方法】変更
【補正の内容】
【００１０】
本発明の伝送システムの実施例は、送信器内の第２の符号化装置は、高周波数帯域を有する信号に基づいて増幅符号を発生させるよう構成され、受信器内の第２の復号器は、高周波数帯域を有する信号の再構成の際に増幅符号を使用するよう構成されることを特徴とする。
【手続補正５】
【補正対象書類名】明細書
【補正対象項目名】００１５
【補正方法】変更
【補正の内容】
【００１５】
入力信号は送信器１の入力１９を介し到達する。分波器７は入力信号を、低周波数帯域を有し、第１の符号化器９によって処理される信号と、高周波数帯域を有し、第２の符号化器１１によって処理される信号とに分割する。第２の符号化器１１はＬＰＣ符号化器２及び信号強度計器４を使用する。符号化器１１は、高周波数帯域を有する信号の予測係数を決めるＬＰＣ符号化器である。符号化された信号は第１の符号化器９及び第２の符号化器１１の出力に現れ、伝送チャネル３によって受信器５に送信される。受信器５内では、低周波数帯域を有する符号化された信号は第１の復号器１３によって処理され、高周波数帯域を有する符号化された信号は第２の復号器１５によって処理され、この復号器１５では雑音信号源６、ＬＰＣ合成フィルタ８、及び増幅器１０が使用される。低周波数帯域を有する復号化された信号と高周波数帯域を有する復号化された信号はコンバイナ１７によって組み合わされ受信器５の出力２１において利用可能な出力信号にされる。